(57)【特許請求の範囲】
【請求項１】
筐体内に高電圧発生回路と送風ファンを設け吸込口から吹出口への送風経路または送風経路近傍にイオン発生用の放射電極を備えるものに於いて、前記筐体表面にイオンの発生状態を表示する複数のイオンランプを設け、前記送風ファンは複数の回転レンジを備え各回転レンジごとに定数を設け、運転時間と前記定数の積に応じて前記イオンランプの点灯数を増減して、イオンの発生量を表示することを特徴とする空気調和機または空気清浄機。
【発明の詳細な説明】
【０００１】
【産業上の利用分野】
この発明は負イオンを発生するイオン発生装置を空気調和機や空気清浄機に組み込んだ事に関する。
【０００２】
【従来の技術】
従来より負イオンが人体に対して良い効果をもたらすことは知られており、生理作用の改善や医学療法等に利用されるものである。
また従来例として特公平７−２３７７７号で示されるように空気調和機内に組み込んだイオン発生装置で負イオンと正イオンを交互に発生させ室内の負イオンの量を吸込口に設けたイオンセンサにより調整していた。
【０００３】
【発明が解決しようとする課題】
このような従来の空気調和機は高価なイオンセンサを搭載し、該イオンセンサと取付構造等に付随するコスト高の問題が有った。
また負イオンは温度や風等とは異なり人が直接感じることができないために、負イオンの発生状況は使用者にはわからないものだった。
【０００４】
【問題点を解決するための手段】
この発明はこの点に着目し上記欠点を解決する為、特にその構成を、筐体内に高電圧発生回路と送風ファンを設け吸込口から吹出口への送風経路または送風経路近傍にイオン発生用の放射電極を備えるものに於いて、前記筐体表面にイオンの発生状態を表示する複数のイオンランプを設け、前記送風ファンは複数の回転レンジを備え各回転レンジごとに定数を設け、運転時間と前記定数の積に応じて前記イオンランプの点灯数を増減して、イオンの発生量を表示するものである。
【０００５】
【作用】
ＳＴ１にて操作部２２の運転スイッチ（図示せず）をＯＮすれば、空気調和機が運転を始め、圧縮機（図示せず）とファン９が始動する。
次にＳＴ２でファン９の回転を確認しファン９が回転中ならばＳＴ３に進み、停止中ならばＳＴ１２に進む。
ＳＴ３では制御装置２１内のタイマをスタートさせ、ＳＴ４にて現在の風量に応じた定数Ｘを選択し、ＳＴ５にて選択された定数Ｘと前記タイマによって測定された時間の積Ｙを求め、ＳＴ６にて積Ｙが２４になるまで計算を続ける。
【０００６】
次にＳＴ６での積Ｙが２４に達し、ＳＴ７に進めば現在の風量応じたイオンランプ２０の最高点灯数Ｋを読み込み、ＳＴ８にて現在のイオンランプ２０の点灯数Ｐと最高点灯数Ｋを比較し現在点灯数Ｐが最高点灯数Ｋより小さければ、ＳＴ９にて点灯数Ｐを１つ増加し、点灯数Ｐが最高点灯数Ｋより大きければ、ＳＴ１１にて最高点灯数Ｋまで点灯数Ｐを減少し、ＳＴ１０にてタイマがリセットされＳＴ２に戻る。
【０００７】
ＳＴ２にてファン９が停止している場合にはＳＴ１２及びＳＴ１３にてファン９の停止がドライ運転や暖房運転の除霜運転に関係するものかを判断し、どちらにも関係しない場合にはイオンランプ２０を全て消灯し、ドライ運転及び暖房運転中の場合にはファン９が運転を再開するまでイオンランプ２０の点灯数Ｐの変更は行わないものである。
このようなイオンランプ２０による表示をしたことで高価なイオンセンサを使用せずとも現在の室内のイオン量を使用者にわかりやすく簡易的に表示する事ができるものである。
【０００８】
【実施例】
以下この発明の一実施例を図面をもとに説明すれば、１はセパレート式空気調和機の室内機で、本体ケーシング２と前方の前面カバー３によって筐体を形成し、前記前面カバー３の中央から上部には横長スリット状の吸込口４を有するオープンパネル５を備えこのパネル５上部左右に設けた軸（図示せず）を支点として前面カバー３前方へ開閉自在に取付られ、前記吸込口４下方から前面カバー３底面には横長の吹出口６を設け、前面カバー３上面には前記吸込口４で不足する開口面積を補うために上部吸込口７を設けている。
【０００９】
前記吸込口４・７の内側には横長で上下方向には多段に屈曲されたフィンチューブ式の熱交換器８を設け、この熱交換器８の後部には送風用のクロスフローファン９を配置している。
前記熱交換器８の下方には樹脂の発泡材で一体成形されたドレーンユニット１０を設け、結露水を受けると共にファン９の送風を吹出口６へ導くエアーガイドの機能を兼ねるものである。
【００１０】
１１は静電式の空気清浄ユニットで約＋２ｋｖの直流電源に接続された多数のアルミ板を送風方向に平行に並べた放電対極１２とこの放電対極１２の間に約−２ｋｖの直流電源に接続された線又は針状電極で形成される放電極１３とで構成し、空気中の目に見えない塵やタバコの煙を前記放電極１３で帯電し放電対極１２にて捕捉するものであり、前記熱交換器８と前面パネル３の間の上部空間に取り付けられるものである。
【００１１】
また前記吸込口４と熱交換器８、又は吸込口４と空気清浄ユニット１１の間には樹脂製で網目状のプレフィルタ１４を備え、空気中の比較的大きなホコリを捕捉する。
前記吹出口６の右側には空気調和機の運転状態をランプ等で表示する表示部１５を設けている、この表示部１５の更に右側にはイオン発生装置１６の放射電極１７が固定されている。
前記放射電極１７より発生して室内に拡散する負イオンの量は前記吹出口６より吹き出す風量によって変動するもので、風量が大きければ負イオンの量も多いものである。
【００１２】
図４はこの実施例における風量とイオン量の関係を示すグラフで、横軸に風量、縦軸に１ｃｃ当たりの負イオンの数を表し、約８畳の広さの室内中央部高さ約１ｍでの負イオンの数を測定したものであり、風量とイオン量の関係は比例関係にあり、強風（約８ｍ３／ｍｉｎ）では約５，０００個／ｃｃ、微風（約８ｍ３／ｍｉｎ）で約１，０００個／ｃｃのイオンが測定され、中間の中及び弱風においてもそれぞれ比例関係にあるものだった。
【００１３】
図５をもとに制御回路のブロック図を説明すれば、２１は空気調和機の運転、停止やイオン発生装置１６の制御を行うマイクロコンピュータ等の制御装置で、操作部２２や温度センサ２３、湿度センサ２４等が入力側に接続され、出力側は前記表示部１５や前記ファン９を駆動するファンモータ２５や室外機の制御装置２６や前記イオン発生装置１６の高圧発生回路２７へ通じる電源をＯＮ−ＯＦＦするリレー２８や空気清浄装置２９の高圧ユニット３０へ通じる電源をＯＮ−ＯＦＦするリレー３１に接続されている。
【００１４】
前記表示部１５は運転ランプ１８とタイマランプ１９とイオンの発生量を棒グラフ状に配置されたランプで表示するイオンランプ２０を備えている。
前記空気清浄装置２９は交流１００ｖの電源を高圧ユニット３０にて約＋２ｋｖと約−２ｋｖの直流に変換して前記空気清浄ユニット１１に供給するもので、前記高圧ユニット３０と電源の間に設けた前記リレー３１によって制御装置２１にて運転、停止するものである。
【００１５】
図６のフローチャートによって作動を説明すれば、ＳＴ１にて操作部２２の運転スイッチ（図示せず）をＯＮすれば、空気調和機が運転を始め、圧縮機（図示せず）とファン９が始動する。
次にＳＴ２でファン９の回転を確認しファン９が回転中ならばＳＴ３に進み、停止中ならばＳＴ１２に進む。
ＳＴ３では制御装置２１内のタイマをスタートさせ、ＳＴ４にて現在の風量に応じた定数Ｘを選択し、ＳＴ５にて選択された定数Ｘと前記タイマによって測定された時間の積Ｙを求め、ＳＴ６にて積Ｙが２４になるまで計算を続ける。
【００１６】
次にＳＴ６での積Ｙが２４に達し、ＳＴ７に進めば現在の風量応じたイオンランプ２０の最高点灯数Ｋを読み込み、ＳＴ８にて現在のイオンランプ２０の点灯数Ｐと最高点灯数Ｋを比較し現在点灯数Ｐが最高点灯数Ｋより小さければ、ＳＴ９にて点灯数Ｐを１つ増加し、点灯数Ｐが最高点灯数Ｋより大きければ、ＳＴ１１にて最高点灯数Ｋまで点灯数Ｐを減少し、ＳＴ１０にてタイマがリセットされＳＴ２に戻る。
【００１７】
ＳＴ２にてファン９が停止している場合にはＳＴ１２及びＳＴ１３にてファン９の停止がドライ運転や暖房運転の除霜運転に関係するものかを判断し、どちらにも関係しない場合にはイオンランプ２０を全て消灯し、ドライ運転及び暖房運転中の場合にはファン９が運転を再開するまでイオンランプ２０の点灯数Ｐの変更は行わないものである。
このようなイオンランプ２０による表示をしたことで高価なイオンセンサを使用せずとも現在の室内のイオン量を使用者にわかりやすく簡易的に表示する事ができるものである。
【００１８】
また実施例ではダイオードを横直線状に配置したが表示部１５のスペースやわかりやすさの関係で縦直線状もしくは円状や扇形状に配置してもよく、イオンランプ２０の数も表示部１５の形状やスペース及び表示のわかりやすさ等で実施品に合わせた自由に設定すれば良いものである。
またこの実施例では空気調和機の例のみ示したが熱交換の要素のみを取り除けばそのまま空気清浄機として実施できるものである。
【００１９】
【発明の効果】
以上のようにこの発明によれば、筐体内に高電圧発生回路と送風ファンを設け吸込口から吹出口への送風経路または送風経路近傍にイオン発生用の放射電極を備えるものに於いて、前記筐体表面にイオンの発生状態を表示する複数のイオンランプを設け、前記送風ファンは複数の回転レンジを備え各回転レンジごとに定数を設け、運転時間と前記定数の積に応じて前記イオンランプの点灯数を増減して、イオンの発生量を表示するようにしたので、高価なイオンセンサを使用せずとも現在の室内のイオン量を使用者にわかりやすく表示する事ができるようになった。
【図面の簡単な説明】
【図１】この発明の一実施例の斜面図。
【図２】同概略断面図。
【図３】同空気清浄ユニットの断面図。
【図４】同風量と負イオン量との関係を示す図。
【図５】同制御回路のブロック図。
【図６】同イオンランプ点灯のフローチャート図。
【符号の説明】
１  室内機
４  吸込口
６  吹出口
９  ファン
１５  表示部
１７  放射電極
２０  イオンランプ
【図１】
0003615915.tif 000002
【図２】
0003615915.tif 000003
【図３】
0003615915.tif 000004
【図４】
0003615915.tif 000005
【図５】
0003615915.tif 000006
【図６】
0003615915.tif 000007